(57)【要約】【課題】使用頻度に応じてランプ交換を知らせる警告表示を出力するタイミングを可変させることが可能なプロジェクター及びその制御方法を提供する。【解決手段】ランプ１１から射出された光を、映像信号に応じて変調して投写するプロジェクター１において、ランプ１１の点灯時間を計測する点灯時間計測部２３と、点灯時間計測部２３の計測結果に基づく累積点灯時間を記憶するランプ点灯時間情報記憶部２１と、累積点灯時間がランプ１１の寿命時間に近づいていることをユーザーに警告するための警告情報を出力する警告出力タイミングを、直前の特定期間内における点灯時間の積算値の増減に応じて決定する制御部２０と、を有する。【選択図】図１
2011165458.tif 000002
【特許請求の範囲】
【請求項１】
ランプから射出された光を、映像信号に応じて変調して投写するプロジェクターにおいて、
前記ランプの点灯時間を計測する点灯時間計測部と、
前記点灯時間計測部の計測結果に基づく累積点灯時間を記憶する点灯時間情報記憶部と、
前記累積点灯時間が前記ランプの寿命時間に近づいていることをユーザーに警告するための警告情報を出力する警告出力タイミングを、直前の特定期間内における点灯時間の積算値の増減に応じて決定する制御部と、を有することを特徴とするプロジェクター。
【請求項２】
請求項１に記載のプロジェクターであって、
前記制御部は、前記警告出力タイミングを前記積算値の増減に応じて定めた警告出力タイミングテーブルに基づいて、前記警告情報を出力させることを特徴とする請求項１に記載のプロジェクター。
【請求項３】
請求項２に記載のプロジェクターであって、
前記警告出力タイミングテーブルは、前記積算値が大きくなることに応じて警告出力タイミングまでの時間が短くなるよう設定されていることを特徴とする請求項２に記載のプロジェクター。
【請求項４】
請求項１〜３の何れか１項に記載のプロジェクターであって、
前記点灯時間計測部は、リアルタイムクロックを更に備え、
前記制御部は、前記リアルタイムクロックから取得した時間情報に基づき、前記直前の特定期間内における点灯時間を、日付毎に前記点灯時間情報記憶部へ記憶させることを特徴とするプロジェクター。
【請求項５】
請求項１〜３の何れか１項に記載のプロジェクターであって、
外部から時間情報を取得する外部時間取得部を更に備え、
前記制御部は、前記外部時間取得部が取得した前記時間情報に基づき、前記直前の特定期間内における点灯時間を、日付毎に前記点灯時間情報記憶部へ記憶させることを特徴とするプロジェクター。
【請求項６】
請求項１〜５の何れか１項に記載のプロジェクターであって、
前記制御部は、前記累積点灯時間が前記警告出力タイミングに到達すると、警告情報を出力したことを示す警告フラグを前記点灯時間情報記憶部に設定し、前記プロジェクターの電源がＯＮされて前記警告フラグが設定されている場合は、前記警告出力タイミングに関係なく前記警告情報を出力させることを特徴とするプロジェクター。
【請求項７】
ランプから射出された光を、映像信号に応じて変調して投写するプロジェクターの制御方法において、
前記ランプの点灯時間を計測するステップと、
前記ランプの累積点灯時間が前記ランプの寿命時間に近づいていることをユーザーに警告するための警告情報を出力する警告出力タイミングを、直前の特定期間内における点灯時間の積算値の増減に応じて決定するステップと、を有することを特徴とするプロジェクターの制御方法。
【発明の詳細な説明】
【技術分野】
【０００１】
本発明は、プロジェクター及びその制御方法に関する。
【背景技術】
【０００２】
ランプの点灯時間をカウントし、予め定めた累積点灯時間を経過すると、警告などを表示してランプユニットの交換を促すプロジェクターが知られている。通常、累積点灯時間は、ＥＥＰＲＯＭなどの書き換え可能な不揮発メモリーに記憶されている。
【０００３】
特許文献１には、ランプの点灯積算時間を計測して記憶するランプ点灯積算時間計測記憶回路と、ランプ交換を知らせる警告信号を作成する警告信号作成回路を供え、ランプ点灯積算時間が予め設定した時間に達したとき、警告表示をスクリーンに投写する技術が記載されている。
【０００４】
また、特許文献２には、光源ランプの交換予定時間を記憶する記憶部と、光源ランプの累積使用時間を計時する累積タイマと、交換予定時間から累積使用時間を減算することにより、光源ランプの交換予定時間に対する第１の残時間を求める残時間検出部と、第１の残時間に応じて前記光源ランプの交換時期を示す情報を表示させる時間表示部と、を備えたプロジェクターが記載されている。
【先行技術文献】
【特許文献】
【０００５】
【特許文献１】特開平０４−２５０４３７号公報
【特許文献２】特開２００２−２８７２４３号公報
【発明の概要】
【発明が解決しようとする課題】
【０００６】
特許文献１や２に記載のように、ランプ交換の警告表示や交換時期の表示が出力されると、ユーザーは交換用のランプユニットを用意する。交換用のランプユニットが用意できるまでは古いランプユニットをそのまま使い続けなければならない。ところで、交換用のランプユニットを用意している間に、プロジェクターの使用頻度がこれまでよりも高くなると、想定より早くランプが切れてしまい投写不能状態に陥るケースがあった。
【０００７】
本発明は、上記課題を解決するためになされたものであって、ランプ交換を知らせる警告情報を出力するタイミングを使用頻度に応じて可変させるプロジェクター及びその制御方法を提供することを目的とする。
【課題を解決するための手段】
【０００８】
上記課題を解決することのできる本発明は、ランプから射出された光を、映像信号に応じて変調して投写するプロジェクターにおいて、前記ランプの点灯時間を計測する点灯時間計測部と、前記点灯時間計測部の計測結果に基づく累積点灯時間を記憶する点灯時間情報記憶部と、前記累積点灯時間が前記ランプの寿命時間に近づいていることをユーザーに警告するための警告情報を出力する警告出力タイミングを、直前の特定期間内における点灯時間の積算値の増減に応じて決定する制御部と、を有することを特徴とする。
上記構成によれば、直前の使用頻度に応じてランプ交換を知らせる警告情報を出力するタイミングを可変することが可能なプロジェクターを提供することができる。直前の積算値の増減をみるので、直近のランプ使用状態を反映させた適切な時期に警告情報を出力させることができる。
【０００９】
また、本発明のプロジェクターにおいて、前記制御部は、前記警告出力タイミングを前記積算値の増減に応じて定めた警告出力タイミングテーブルに基づいて、前記警告情報を出力させることが好ましい。
上記構成によれば、警告出力タイミングテーブルを保持しているので、積算値を取得できれば自動的に警告出力タイミングを決定することができる。したがって、警告出力タイミングを決定する処理による演算負荷を軽減することができる。
【００１０】
また、本発明のプロジェクターにおいて、前記警告出力タイミングテーブルは、前記積算値が大きくなることに応じて警告出力タイミングまでの時間が短くなるよう設定されていることが好ましい。
上記構成によれば、積算値が大きい場合は、使用頻度が高い状態であり、使用頻度が高い場合はこれに応じた警告出力タイミングを決定して警告情報を通常の寿命警告時間よりも早めに出力させることができる。このため、使用頻度が高い場合は、ユーザーは早い時期から交換用のランプユニットを準備しておくことができるので、ランプが切れてしまい投写不能な状態に陥るケースが発生することを防止することができる。
【００１１】
また、本発明のプロジェクターにおいて、前記点灯時間計測部は、リアルタイムクロックを備え、前記制御部は、前記リアルタイムクロックから取得した時間情報に基づき、前記直前の特定期間内における点灯時間を、日付毎に前記点灯時間情報記憶部へ記憶させることが好ましい。
上記構成によれば、日付毎に点灯時間を記憶させるので正確な使用頻度をはかることができる。例えば、ランプを使用しない日は点灯時間を０として記憶する。このため、点灯時間が０の日も含めて直前の特定期間内の点灯時間の積算値を求めることができるので、正確な使用頻度に基づいた警告出力タイミングを決定することができる。
【００１２】
また、本発明のプロジェクターにおいて、外部から時間情報を取得する外部時間取得部を更に備え、前記制御部は、前記外部時間取得部が取得した前記時間情報に基づき、前記直前の特定期間内における点灯時間を、日付毎に前記点灯時間情報記憶部へ記憶させることが好ましい。
上記構成によれば、外部から時間情報を取得し、取得した時間情報に基づいて日付毎に点灯時間を記憶させることができるので、リアルタイムクロックを保持していないプロジェクターにも本発明を適用することができる。
【００１３】
また、本発明のプロジェクターにおいて、前記制御部は、前記累積点灯時間が前記警告出力タイミングに到達すると、警告情報を出力したことを示す警告フラグを前記点灯時間情報記憶部に設定し、前記プロジェクターの電源がＯＮされて前記警告フラグが設定されている場合は、前記警告出力タイミングに関係なく前記警告情報を出力させることが好ましい。
一度警告情報を出力した後、これまでよりもランプの使用頻度が低くなった場合は、直前の特定期間における点灯時間に基づいて決定した警告出力タイミングが長くなる場合がある。上記構成によれば、警告出力タイミングが長くなっても、一度警告情報を出力した後は継続的に警告情報を出力するので、ユーザーは余裕を持って交換用のランプユニットを準備することができ、途中でランプが切れてしまい投写不能な状態に陥るケースが発生することを防止することができる。
【００１４】
また、上記課題を解決することのできる本発明は、ランプから射出された光を、映像信号に応じて変調して投写するプロジェクターの制御方法において、前記ランプの点灯時間を計測するステップと、前記ランプの累積点灯時間が前記ランプの寿命時間に近づいていることをユーザーに警告するための警告情報を出力する警告出力タイミングを、直前の特定期間内における点灯時間の積算値の増減に応じて決定するステップと、を有することを特徴とする。
上記構成によれば、直前の使用頻度に応じてランプ交換を知らせる警告情報を出力するタイミングを可変させるプロジェクターの制御方法を提供することができる。
【図面の簡単な説明】
【００１５】
【図１】本実施形態のプロジェクターの内部構成を示すブロック図である。
【図２】ランプ点灯時間情報記憶部に記憶されている日付毎の点灯時間の例を示した図である。
【図３】ランプ点灯時間情報記憶部に記憶されている警告出力タイミングテーブルの例を示した図である。
【図４】本実施形態のプロジェクターが電源ＯＮ時に行う処理を説明するためのフローチャートである。
【図５】本実施形態のプロジェクターがランプ点灯中に行う処理を説明するためのフローチャートである。
【発明を実施するための形態】
【００１６】
以下、本発明に係るプロジェクター及びその制御方法の好適な実施形態について、図面を参照して詳細に説明する。
【００１７】
（プロジェクターの内部構成について）
本実施形態のプロジェクターの内部構成について図１を参照して説明する。
図１に示すように、プロジェクター１は、ランプ１１と、光変調手段である液晶ライトバルブ１２Ｒ，Ｇ，Ｂと、投写光学系１３と、液晶ライトバルブ駆動部１４と、制御部２０と、ランプ点灯時間情報記憶部２１（点灯時間情報記憶部）と、点灯時間カウント部２３（点灯時間計測部）と、電源供給部２５と、外部時間取得部２７と、映像音声処理部３２と、フレームメモリー３３と、映像処理部３４と、音声処理部３５と、スピーカー３６と、ＯＳＤ（On Screen Display）処理部３８と、ランプ駆動部４０と、操作信号処理部４３と、操作パネル４４と、入力端子４５と、電源４７と、を備えている。
【００１８】
ランプ１１はランプハウジングに収納され、ランプユニットとして単体でプロジェクター１から分離可能である。ランプには寿命があるため、消耗した場合はランプユニットごと新しいものと交換することができる。
【００１９】
投写光学系１３は投写レンズ１３ａを有している。プロジェクター１は、入力端子４５から供給される映像信号に応じた光学像を投写し、投写レンズ１３ａを介して、スクリーン、白壁又はホワイトボード等の被投写体（以下、本実施形態では「スクリーンＳＣ」という。）に拡大して投写する。
【００２０】
制御部２０は、ランプ点灯時間記憶部２１、点灯時間カウント部２３、電源供給部２５、外部時間取得部２７、映像信号処理部３２、ＯＳＤ処理部３８、ランプ駆動部４０、操作信号処理部４３と接続されている。この制御部２０は、マイクロプロセッサーと、不揮発性の記憶部と、マイクロプロセッサーが直接アクセスすることができる主記憶部と、を備えている。不揮発性の記憶部には、プロジェクター１の各種動作を制御するための制御プログラム、台形歪補正量の表示などのＯＳＤ映像を生成するためのＯＳＤ情報を記憶するとともに、プロジェクター１の各種設定値等が記憶されている。
【００２１】
マイクロプロセッサーは、不揮発性の記憶部に記憶された制御プログラム等を実行して、プロジェクター１の動作を統括制御し、制御部２０に接続された各部から入力される各種データを演算するとともに、演算結果を各部に出力する。
【００２２】
ランプ点灯時間情報記憶部２１は、例えばＥＥＰＲＯＭやフラッシュメモリーなどの書き換え可能な不揮発性の記憶部であり、点灯時間計測部２３の計測結果に基づくランプ１１の累積点灯時間を記憶する。さらに、直前の特定期間内におけるランプ１１の点灯時間を日付毎に記憶する。例えば、図２に示すように、直前の特定期間として、本日（直近の電源ＯＮ操作が行なわれた日）及び直前１週間分の点灯時間が日付毎に記憶される。また、累積点灯時間は日付毎に記憶される。さらに、ランプ点灯時間情報記憶部２１には、警告出力タイミングテーブルが記憶されている。図３に示すように、警告出力タイミングテーブルは、ランプ１１の寿命時間が近づいていることをユーザーに警告するための警告情報を出力する警告出力タイミングを、直前の特定期間内における点灯時間の積算値の増減に応じて定めたものである。
【００２３】
図３の例では、本日及び直前１週間分の点灯時間の積算値に対応した寿命警告時間（警告出力タイミング）が設定されており、本日及び直前１週間分の点灯時間の積算値が大きくなることに応じて寿命警告時間が短くなるよう設定されている。具体的には、制御部２０は、点灯時間の積算値が０．０［ｈ］以上１０．０［ｈ］未満であれば、ランプ１１の累積点灯時間が３５００［ｈ］に到達すると警告情報を出力させ、点灯時間の積算値が１０．０［ｈ］以上５０．０［ｈ］未満であれば、ランプ１１の累積点灯時間が３４５０［ｈ］に到達すると警告情報を出力させ、点灯時間の積算値が５０．０［ｈ］以上１００．０［ｈ］未満であれば、ランプ１１の累積点灯時間が３４００［ｈ］に到達すると警告情報を出力させ、点灯時間の積算値が１００．０［ｈ］以上１６８．０［ｈ］未満であれば、ランプ１１の累積点灯時間が３３００［ｈ］に到達すると警告情報を出力させるように設定されている。
【００２４】
また、ランプ点灯時間情報記憶部２１には、ランプ１１の点灯時間が警告寿命時間に到達し警告情報を出力すると、警告情報が出力されたことを示す警告フラグが設定される。制御部２０は、ランプ点灯時間情報記憶部２１に警告フラグが設定されていれば、以降は図３に示した寿命警告時間に関係なく必ず警告情報を出力させる。なお、１度設定された警告フラグはランプユニットが新たに交換されるまでリセットされない。ランプユニットの交換が行なわれると警告フラグはリセットされる。
【００２５】
点灯時間カウント部２３は、ランプ１１の点灯時間をカウントする点灯時間カウンター２３ａと、現在時刻をカウントするリアルタイムクロック２３ｂと、電源ＯＦＦ時に点灯時間カウンター２３ａに対して給電を行なうバックアップ電源２３ｃと、電源供給元を切り替える回路である電源切替部２３ｄと、を内蔵している。
【００２６】
点灯時間カウンター２３ａは、電源切替部２３ｄを切り替えることによって、バックアップ電源２３ｃ又は電源４７から電力の供給を受けることができる。つまり、点灯時間カウンター２３ａは、電源４７がＯＮの場合は電源４７からの電力供給を受け、電源４７がＯＦＦの場合はバックアップ電源２３ｃから電力供給を受ける。
【００２７】
リアルタイムクロック２３ｂは、点灯時間カウンター２３ａと同様に、バックアップ電源２３ｃ又は電源４７から電力の供給を受けることができる。電源４７がＯＮの場合は電源４７からの電力供給を受け、電源４７がＯＦＦの場合はバックアップ電源２３ｃからの電力の供給を受ける。
【００２８】
点灯時間カウント部２３は、点灯時間カウンター２３ａ及びリアルタイムクロック２３ｂを用いて、ランプ１１の点灯時間をカウントし、累積点灯時間を更新する更新信号を所定時間毎に制御部２０へ出力する。具体的には、リアルタイムクロック２３ｂの日付が変わると、それまでカウントしていた点灯時間カウンター２３ａの値を累積点灯時間に加算した値を新たな累積点灯時間としてランプ点灯時間情報記憶部２１に更新するよう更新信号を制御部２０へ出力する。また、リアルタイムクロック２３ｂの日付が変わると、それまでカウントしていた点灯時間カウンター２３ａの値を１日前のランプ１１の点灯時間としてランプ点灯時間情報記憶部２１に更新するよう更新信号を制御部２０へ出力する。さらに、電源ＯＦＦ操作があった場合も、リアルタイムクロック２３ｂから日付を取得し、それまでカウントしていた点灯時間カウンター２３ａの値を、累積点灯時間及びその日の点灯時間に加算しランプ点灯時間情報記憶部２１に更新するよう更新信号を制御部２０へ出力する。
【００２９】
外部時間取得部２７は、プロジェクター１の外部より時間情報を取得する。プロジェクター１とＬＡＮやインターネットを介して通信可能に接続されているサーバー等から日付や時刻を取得することができる。
【００３０】
電源供給部２５は、電源４７からの電力を制御部２０へ供給可能な電圧に変換して制御部２０に供給する。また、ランプ駆動部４０へ供給可能な電圧に変換してランプ駆動部４０へ供給する。さらに、点灯時間計測部２３へ供給可能な電圧に変換して点灯時間カウンター２３へ供給する。
【００３１】
映像音声処理部３２は、入力端子４５から受信した映像信号をデコードして圧縮符号化前の映像データに変換し、これらをたとえばＲＧＢ信号に変換して順次映像処理部３４に出力する。また、音声入力端子から入力される音声信号についても同様にデコードを行い、Ｄ／Ａ変換により音声データに変換し、順次音声処理部３５に出力する。映像音声処理部３２にはフレームメモリー３３が接続されており、映像データを１フレーム毎にフレームメモリー３３に記憶させるとともに、フレームメモリー３３に記憶された映像データを読み出す。
【００３２】
映像処理部３４は、映像音声処理部３２より受信したＲＧＢ信号に対してγ補正処理、台形補正処理、解像度変換処理などを行い、液晶ライトバルブ駆動部１４に出力する。
【００３３】
液晶ライトバルブ駆動部１４は、入力されたＲＧＢ信号に応じて、液晶ライトバルブ１２Ｒ，Ｇ，Ｂを駆動する。各液晶ライトバルブ１２Ｒ，Ｇ，Ｂは、マトリクス状の複数の画素を備えている。液晶ライトバルブ駆動部１４により各画素の透過率が調整されることにより、ランプ１１から射出され、色光分離光学系によって各色光に分離された、Ｒ（赤）、Ｇ（緑），Ｂ（青）の各色光を対応する液晶ライトバルブ１２Ｒ，Ｇ，Ｂによって変調して光学像を射出する。液晶ライトバルブ１２Ｒ，Ｇ，Ｂから射出される光学像は、クロスダイクロイックプリズムなどの合成光学系により合成され、投写光学系１３の投写レンズ１３ａによってスクリーンＳＣ上に拡大投写される。
【００３４】
音声処理部３５は、映像音声処理部３２より受信した音声データをスピーカー３６に出力する。なお、音声処理部３５は、音量増幅部を有しており、音量の増幅を行ってスピーカー３６に出力する。これにより、スピーカー３６は、増幅されて入力するアナログ音声信号を出力する。
【００３５】
ＯＳＤ処理部３８は、メニュー映像や映像入力端子を検出する際の映像等のＯＳＤ情報を制御部２０から受信して、ＯＳＤ映像を生成する。また、生成したＯＳＤ映像と映像処理部３４から受信した映像データを合成し、液晶ライトバルブ駆動部１４へ送信する。例えば、ランプ１１の累積点灯時間が寿命警告時間に到達した場合は、制御部２０からの指示に応じてランプ１１の寿命時間が近づいていることユーザーに警告するための映像データを生成し、液晶ライトバルブ駆動部１４へ送信する。
【００３６】
ランプ駆動部４０は、制御部２０からの指示に従って、ランプ１１を点灯又は消灯させる点灯手段であり、例えばランプ１１が高圧放電灯の場合には、始動電圧を印加する点灯回路や、適正なランプ電流を供給する安定器などにより構成される。
【００３７】
操作信号処理部４３は、操作パネル４４又はリモコンＲＣから入力された操作信号を受信し、これを制御部２０に出力する。
【００３８】
＜ランプの警告情報を出力する処理について＞
次に、本実施形態のプロジェクターが実行するランプの警告情報を出力する処理について図４及び図５を参照して説明する。まず、図４を参照して、プロジェクター１の電源４７がＯＦＦからＯＮになった際に実行される処理について説明する。
【００３９】
まず、制御部２０は、電源４７がＯＮされたことを検出すると（ステップＳ１１：Ｙｅｓ）、点灯時間計測部２３のリアルタイムクロック２３ｂから現在の日付を取得する（ステップＳ１３）。図２に示したランプ点灯時間情報記憶部２１の本日に設定されている日付と、リアルタイムクロック２３ｂより取得した日付が同じ日付であるか否かを判定する。ここでは、制御部２０は、リアルタイムクロック２３ｂより取得した日付が０９／１０／０９であれば、同じ日付であると判定する（ステップＳ１５：Ｙｅｓ）。
【００４０】
次に、制御部２０は、本日及び直前１週間分の点灯時間の積算値を算出する。ここでは、本日（０９／１０／０９）の点灯時間をα［ｈ］とすると、０９／１０／０８〜０９／１０／０２までの点灯時間（１６．５［ｈ］＋４．０［ｈ］+４．０［ｈ］+７．５［ｈ］+６．５［ｈ］+７．５［ｈ］+８．０［ｈ］＝５４［ｈ］）との積算値は、５４+α［ｈ］となる。制御部２０は、図３に示した警告出力タイミングテーブルに基づき、算出した積算値に応じた寿命警告時間を取得する（ステップＳ１９）。例えば、積算値５４+α［ｈ］に対応する寿命警告時間３４００［ｈ］を取得する。なお、ここでは、積算値５４＋α［ｈ］＜１００［ｈ］であるものとする。
【００４１】
そして、ランプ点灯時間情報記憶部２１の警告フラグがＯＮに設定されているか否かを判定し、警告フラグがＯＮに設定されていれば（ステップＳ２１：Ｙｅｓ）、既に警告情報が表示されているはずであり、制御部２０は、寿命警告時間にかかわらずＯＳＤ処理部３８に対して警告情報を再び出力させる。ＯＳＤ処理部３８は、警告情報に応じた映像データを生成して液晶ライトバルブ駆動部１４へ出力し、ランプユニットの交換を促す映像データが投写レンズ１３ａを介してスクリーンＳＣに拡大投写される（ステップＳ２３）。一方、警告フラグがＯＮに設定されていなければ（ステップＳ２１：Ｎｏ）、ランプ１１の累積点灯時間が寿命警告時間に到達していないはずであり、この場合は警告情報を出力することなく処理を終了する。
【００４２】
ところで、ステップＳ１５において、リアルタイムクロック２３ｂより取得した日付が０９／１０／０９でない場合は、制御部２０は同じ日付ではないと判定する（ステップＳ１５：Ｎｏ）。この場合は、リアルタイムクロック２３ｂより取得した日付に基づいて、すでに経過した日数分だけランプ点灯時間情報記憶部２１に記憶されている点灯時間情報をシフトし、本日分をリセットする（ステップＳ１７）。具体的には、リアルタイムクロック２３ｂより取得した日付が０９／１０／１２であった場合は、３日間経過しているので３日分の点灯時間情報をシフトし、本日を０９／１０／１２として本日分をリセットする。すなわち、本日（０９／１０／１２）の点灯時間は０［ｈ］、累積点灯時間は３３９５+α［ｈ］となり、１日前（０９／１０／１１）は未使用であるため点灯時間は０［ｈ］、累積点灯時間は３３９５+α［ｈ］となり、２日前（０９／１０／１０）も未使用であるため点灯時間は０［ｈ］、累積点灯時間は３３９５+α［ｈ］となり、３日前（０９／１０／０９）の点灯時間はα［ｈ］、累積点灯時間は３３９５+α［ｈ］となり、４日前（０９／１０／０８）の点灯時間は８．０［ｈ］、累積点灯時間は３３９５［ｈ］となり、５日前（０９／１０／０７）の点灯時間は７．５［ｈ］、累積点灯時間は３３８７［ｈ］となり、６日前（０９／１０／０６）の点灯時間は６．５［ｈ］、累積点灯時間は３３７９．５［ｈ］となり、７日前（０９／１０／０５）の点灯時間は７．５［ｈ］、累積点灯時間は３３７３［ｈ］となる。
【００４３】
ステップＳ１７において、ランプ点灯時間情報記憶部２１の点灯時間情報をシフトして本日分をリセットすると、ステップＳ１９において算出する本日及び直前１週間分の点灯時間の積算値は以下の通りとなる。
本日（０９／１０／１２）の点灯時間は０［ｈ］であり、０９／１０／１１〜０９／１０／０５までの点灯時間（０［ｈ］＋０［ｈ］+α［ｈ］+８．０［ｈ］+７．５［ｈ］+６．５［ｈ］+７．５［ｈ］＝２９．５+α［ｈ］）との積算値は、２９．５+α［ｈ］となる。制御部２０は、図３に示した警告出力タイミングテーブルに基づき、算出した積算値に応じた寿命警告時間を取得する。例えば、積算値２９．５+α［ｈ］に対応する寿命警告時間３４５０［ｈ］を取得する（ステップＳ１９）。ここでは、積算値２９．５＋α［ｈ］＜５０［ｈ］であるものとする。
【００４４】
このように、本日及び直前１週間分の点灯時間の積算値は、日々変化するため、プロジェクター１を使用しない日があれば使用頻度は低下する可能性が高い。使用頻度の低下に応じて、寿命警告時間は長くなるが、本実施形態ではステップＳ２１において、警告フラグがＯＮに設定されているか否かを判定し、１度ＯＮに設定された場合は、以降継続して警告表示を出力するので、ユーザーに余裕を持ってランプ１１の寿命が近づいていることを知らせることができる。
【００４５】
次に、図５を参照して、プロジェクター１のランプ１１が点灯中に実行される処理を説明する。
【００４６】
制御部２０は、点灯時間計測部２３より更新信号を受信すると、それまでカウントしていた値を、ランプ点灯時間情報記憶部２１に記憶されている日付毎の点灯時間及び累積点灯時間に加算し更新する（ステップＳ３１）。図２に示すように、ランプ点灯時間情報記憶部２１の本日（０９／１０／０９）の記憶領域に、その日の点灯時間及び累積点灯時間を更新する。
【００４７】
次に制御部２０は、図４のステップＳ１９で取得した、本日及び直前１週間分の点灯時間の寿命警告時間に基づき、ランプ１１の累積点灯時間が寿命警告時間に到達しているか否かを判定する（ステップＳ３３）。例えば、累積点灯時間が３３９５+α［ｈ］≧３４００時間であるかを判定する。累積点灯時間が寿命警告時間に到達していると判定した場合は（ステップＳ３３：Ｙｅｓ）、制御部２０は、ランプ点灯時間情報記憶部２１の警告フラグをＯＮに設定し（ステップＳ３５）、ＯＳＤ処理部３８に対して警告情報を出力させる。ＯＳＤ処理部３８は、警告情報に応じた映像データを生成して液晶ライトバルブ駆動部１４へ出力し、映像データが投写レンズ１３ａを介してスクリーンＳＣに拡大投写される（ステップＳ３７）。
【００４８】
一方、累積点灯時間が寿命警告時間に到達していないと判定した場合は（ステップＳ３３：Ｎｏ）、制御部２０は、警告情報を出力することなく処理を終了する。
【００４９】
このように、本実施形態によれば、本日及び直前の１週間における点灯時間の積算値に応じた警告出力タイミングを決定する。このため、直前の使用頻度に応じてランプ交換を知らせる警告情報を出力するタイミングを可変することが可能なプロジェクター１を提供することができる。直前の積算値の増減をみるので、直近のランプ使用状態を反映させた適切な時期に警告情報を出力させることができる。
【００５０】
また、積算値が大きい場合は、使用頻度が高い状態であり、使用頻度が高い場合は、警告出力タイミングまでの時間が短くなるよう設定されているので、通常よりも早い時期から警告情報を出力させることができる。このため、使用頻度が高い場合は、ユーザーは早い時期から交換用のランプユニットを準備しておくことができるので、ランプ１１が切れてしまい投写不能な状態に陥るケースが発生することを防止することができる。
【００５１】
また、日付毎に点灯時間を記憶するので正確な使用頻度をはかることができる。上記実施形態ではランプ１１を使用しない日は点灯時間を０として記憶する。このため、点灯時間が０の日も含めて直前１週間内の点灯時間の積算値を求めるので、正確な使用頻度に応じた警告出力タイミングを決定することができる。
【００５２】
また、一度警告情報を出力した後、これまでよりもランプ１１の使用頻度が低くなった場合は、本日及び直前の１週間における点灯時間の積算値に基づいて決定した警告出力タイミングが長くなる場合がある。上記実施形態によれば、警告出力タイミングが長くなっても、一度警告情報を出力した後は継続的に警告情報を出力するので、ユーザーは余裕を持って交換用のランプユニットを準備することができ、途中でランプが切れてしまい投写不能な状態に陥るケースが発生することを防止することができる。
【００５３】
なお、上記実施形態において図３に示した警告出力タイミングテーブルに示した寿命警告時間は、ランプ１１の寿命時間を３５００ｈとした場合の一例である。ランプの寿命はプロジェクターの機種によって異なり３５００ｈに限定されないため、寿命警告時間の値も上記実施形態の値に限定されない。例えば、ランプの寿命時間を５０００ｈとすれば、警告出力タイミングテーブルもランプの寿命時間に応じて書き換えることができる。
【００５４】
また、上記実施形態においては、時間情報をリアルタイムクロック２３ｂから取得したが、外部時間取得部２７を介してプロジェクター１と通信可能に接続された他の機器から時間情報を取得してもよい。これによれば、リアルタイムクロック２３ｂを保持していないプロジェクターにも本発明を適用することができる。
【００５５】
また、点灯時間情報記憶部２１への累積点灯時間及び日付毎の点灯時間の更新処理は、所定時間毎に行なってもよい。点灯時間計測部２３が所定時間毎に更新信号を制御部２０へ出力し、制御部２０は、点灯時間カウンター２３ａがカウントした所定時間を累積点灯時間及び日付毎の点灯時間に加算し更新すればよい。
【００５６】
なお、上記実施形態では、光源からの光を光変調部である液晶ライトバルブ１２Ｒ，Ｇ，Ｂによって変調し投写する液晶ライトバルブ方式のプロジェクターを例示したが、本発明はその他の方式を採用するプロジェクターにも適用することもできる。具体的には、ＤＭＤ（Digital Micro mirror Device）を用いた投写方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投影する方式であり、本発明はこのような方式のプロジェクターにも適用することができる。
【符号の説明】
【００５７】
１：プロジェクター、１１：ランプ、１２Ｒ，Ｇ，Ｂ：液晶ライトバルブ、１３：投写光学系、１４：液晶ライトバルブ駆動部、２０：制御部、２１：ランプ点灯時間情報記憶部（点灯時間情報記憶部）、２３：点灯時間計測部、２３ａ：点灯時間カウンター、２３ｂ：リアルタイムクロック、２３ｃ：バックアップ電源、２３ｄ：電源切替部、２５：電源供給部、２７：外部時間取得部、３２：映像音声処理部、３３：フレームメモリー、３４：映像処理部、４０：ランプ駆動部、４３：操作信号処理部、４４：操作パネル、４５：入力端子、４７：電源、ＲＣ：リモコン、ＳＣ：スクリーン。
【図１】
2011165458.tif 000003
【図２】
2011165458.tif 000004
【図３】
2011165458.tif 000005
【図４】
2011165458.tif 000006
【図５】
2011165458.tif 000007